【手続補正書】
【提出日】平成18年5月25日(2006.5.25)
【手続補正１】
【補正対象書類名】特許請求の範囲
【補正対象項目名】全文
【補正方法】変更
【補正の内容】
【特許請求の範囲】
【請求項１】
カチオン性ポリマーを含む水性調製物であって、カチオン性ポリマーが
ａ）水溶性エチレン性不飽和モノマー、または少なくとも１種のカチオン性モノマーを含むモノマーの混合物、
ｂ）成分ａ）の重量で５０ppmを超える量の少なくとも１種の架橋剤、および
ｃ）少なくとも１種の連鎖移動剤、から形成される水性調製物。
【請求項２】
カチオン性ポリマーが、１０ミクロン未満の容積平均サイズを有する粒子の形状にある間に調製物へ添加される、請求項１記載の水性調製物。
【請求項３】
成分ａ）が、成分ａ）の総重量に基づいて、３０〜１００重量％の少なくとも１種のカチオン性モノマーと、０〜８０重量％の非イオン性もしくはアニオン性である少なくとも１種のモノマーとを含む、請求項１または２記載の水性調製物。
【請求項４】
成分ａ）のカチオン性モノマーが、式（Ｉ）：
【化１】
2005528538.tif 000001
（式中、
Ｒ1は水素もしくはメチルであり、
Ｒ2は水素もしくはＣ1〜Ｃ4アルキルであり、
Ｒ3はＣ1〜Ｃ4アルキレンであり、
Ｒ4、Ｒ5およびＲ6は互いに独立して、水素もしくはＣ1〜Ｃ4アルキルであり、
Ｘは−Ｏ−もしくは−ＮＨ−であり、そして
ＹはＣｌ；Ｂｒ；Ｉ；硫酸水素塩もしくはメト硫酸塩である）の化合物である、請求項１〜３のいずれか一項記載の水性調製物。
【請求項５】
成分ａ）の非イオン性モノマーが、Ｎ−ビニルピロリドンおよび／または式（ＩＩ）：
【化２】
2005528538.tif 000002
（式中、
Ｒ７は水素もしくはメチルを表し、
Ｒ8は水素もしくはＣ1〜Ｃ4アルキルを表し、また
Ｒ9およびＲ10は互いに独立して、水素もしくはＣ1〜Ｃ4アルキルを表す）の化合物である、請求項１〜４のいずれか一項記載の水性調製物。
【請求項６】
成分ｂ）の架橋剤が、ジビニルベンゼン；テトラアリルアンモニウムクロリド；アリルアクリレートおよびアリルメタクリレート；グリコールおよびポリグリコールのジアクリレートおよびジメタクリレート；ブタジエン；１，７−オクタジエン；アリル−アクリルアミドおよびアリル−メタクリルアミド；ビスアクリルアミド酢酸；Ｎ，Ｎ’−メチレン−ビスアクリルアミドならびにポリアリルサッカロースおよびペンタエリトリトールトリアリルエーテル等のポリオールポリアリルエーテルである、請求項１〜５のいずれか一項記載の水性調製物。
【請求項７】
成分ｂ）の架橋剤が、５０〜１，２００ppm（成分ａに基づく）の範囲内で含まれる、請求項１〜６のいずれか一項記載の水性調製物。
【請求項８】
連鎖移動剤ｃ）が、メルカプタン；リンゴ酸；乳酸；ギ酸；イソプロパノールおよび次亜リン酸塩から選択される、請求項１〜７いずれか一項記載の水性調製物。
【請求項９】
調製物が、０．００５〜１５重量％のカチオン性ポリマーを含む、請求項１〜８のいずれか一項記載の水性調製物。
【請求項１０】
調製物が
ａ）０．０１〜５重量％のカチオン性ポリマーであって、少なくとも１種の式（Ｉａ）：
【化３】
2005528538.tif 000003
（式中、
Ｒ1は水素もしくはメチルであり、
Ｒ2は水素もしくはメチルであり、
Ｒ3はＣ1〜Ｃ2アルキレンであり、そして
ＹはＣｌ；ＢｒもしくはＩである）の化合物から形成されるカチオン性ポリマー、
ｂ）５０〜１，２００ppm（成分ａに基づく）の量で、ジビニルベンゼン；テトラアリルアンモニウムクロリド；アリルアクリレートおよびアリルメタクリレート；グリコールおよびポリグリコールのジアクリレートおよびジメタクリレート；ブタジエン；１，７−オクタジエン；アリル−アクリルアミドおよびアリル−メタクリルアミド；ビスアクリルアミド酢酸；Ｎ，Ｎ’−メチレン−ビスアクリルアミドならびにポリオールポリアリルエーテルから選択される少なくとも１種の架橋剤、および
ｃ）１，０００〜９，０００ppm（成分ａに基づく）の量で、メルカプタン；リンゴ酸；乳酸；ギ酸；イソプロパノールおよび次亜リン酸塩から選択される少なくとも１種の連鎖移動剤、を含有する、請求項１〜９のいずれか一項記載の水性調製物。
【請求項１１】
Ａ）組成物の総重量に基づいて、０．５〜５０重量％のカチオン性４級アンモニウム塩；少なくとも１つのＣ8〜Ｃ30アルキル鎖を有する３級脂肪アミン、１分子当たり８〜３０個の炭素原子および１個のカルボキシル基を有するカルボン酸；多価アルコールのエステル；脂肪アルコール；ポリオキシエチレン脂肪アルコール；アルキルフェノール；ポリオキシエチレンアルキルフェノール；ポリオキシエチレン脂肪アミン；ポリオキシエチレンモノグリセリド；ポリオキシエチレンジグリセリド；鉱油および／またはポリオール；
Ｂ）組成物の総重量に基づいて、０．００５〜１５重量％の請求項１〜１０のいずれか一項記載のカチオン性ポリマー；
Ｃ）組成物の総重量に基づいて、０〜２０重量％の通常の添加物；および
Ｄ）１００％までの水、を含む繊維柔軟剤組成物。
【請求項１２】
Ａ）組成物の総重量に基づいて、０．５〜５０重量％の繊維柔軟剤；
Ｂ）組成物の総重量に基づいて、０．００５〜１５重量％のカチオン性ポリマー；
Ｃ）組成物の総重量に基づいて、０〜２０重量％の通常の添加物；
Ｄ）組成物の総重量に基づいて、０〜５重量％の香料；
Ｅ）組成物の総重量に基づいて、０〜０．５重量％の、金属イオンを封鎖することができ、そして：
ｉ）アミノカルボン酸、有機アミノホスホン酸成分、およびそれらの混合物からなる群から選択されるキレート剤成分、
ｉｉ）キレート剤成分としてｉ）の下に定義したもの以外の、２個以下の炭素原子によって互いから分離される少なくとも２個のカルボキシル基を含むポリカルボン酸構築成分、および
ｉｉｉ）それらの混合物、からなる群から選択される成分；ならびに
Ｆ）１００％までの水、を含む請求項１１記載の繊維柔軟剤組成物。
【請求項１３】
ａ）水溶性エチレン性不飽和モノマー、または少なくとも１種のカチオン性モノマーを含むモノマーの混合物、
ｂ）成分ａ）の重量で６００ppmを超える量の少なくとも１種の架橋剤、および
ｃ）場合により少なくとも１種の連鎖移動剤、から形成されるカチオン性ポリマー。
【請求項１４】
成分ａ）が３０〜１００重量％の１種のカチオン性モノマーと０〜８０重量％の非イオン性もしくはアニオン性である１種のモノマーとを含む、請求項１３記載のカチオン性ポリマー。
【請求項１５】
成分ａ）のカチオン性モノマーが、式（Ｉ）：
【化４】
2005528538.tif 000004
（式中、
Ｒ1は水素もしくはメチルであり、
Ｒ2は水素もしくはＣ1〜Ｃ4アルキルであり、
Ｒ3はＣ1〜Ｃ4アルキレンであり、
Ｒ4、Ｒ5およびＲ6は互いに独立して、水素もしくはＣ1〜Ｃ4アルキルであり、
Ｘは−Ｏ−もしくは−ＮＨ−であり、そして
ＹはＣｌ；Ｂｒ；Ｉ；硫酸水素塩もしくはメト硫酸塩である）の化合物である、請求項１３または１４記載のカチオン性ポリマー。
【請求項１６】
成分ａ）の非イオン性モノマーが、Ｎ−ビニルピロリドンおよび／または式（ＩＩ）：
【化５】
2005528538.tif 000005
（式中、
Ｒ7は水素もしくはメチルを表し、
Ｒ8は水素もしくはＣ1〜Ｃ4アルキルを表し、そして
Ｒ9およびＲ10は互いに独立して、水素もしくはＣ1〜Ｃ4アルキルを表す）の化合物である、請求項１３〜１５のいずれか一項記載のカチオン性ポリマー。
【請求項１７】
成分ｂ）の架橋剤が、ジビニルベンゼン；テトラアリルアンモニウムクロリド；アリルアクリレートおよびアリルメタクリレート；グリコールおよびポリグリコールのジアクリレートおよびジメタクリレート；ブタジエン；１，７−オクタジエン；アリル−アクリルアミドおよびアリル−メタクリルアミド；ビスアクリルアミド酢酸；Ｎ，Ｎ’−メチレン−ビスアクリルアミドならびにポリアリルサッカロースおよびペンタエリトリトールトリアリルエーテル等のポリオールポリアリルエーテルである、請求項１３〜１６のいずれか一項記載のカチオン性ポリマー。
【請求項１８】
連鎖移動剤ｃ）が、メルカプタン；リンゴ酸；乳酸；ギ酸；イソプロパノールおよび次亜リン酸塩から選択される、請求項１３〜１７のいずれか一項記載のカチオン性ポリマー。
【請求項１９】
連鎖移動剤ｃ）が、１０〜５０，０００ppm（成分ａに基づく）の範囲内で存在する、請求項１３〜１８のいずれか一項記載のカチオン性ポリマー。
【請求項２０】
ａ）３０〜１００重量％の少なくとも１つの式（Ｉ）：
【化６】
2005528538.tif 000006
（式中、
Ｒ1は水素もしくはメチルであり、
Ｒ2は水素もしくはＣ1〜Ｃ4アルキルであり、
Ｒ3はＣ1〜Ｃ4アルキレンであり、
Ｒ4、Ｒ5およびＲ6は互いに独立して、水素もしくはＣ1〜Ｃ4アルキルであり、
Ｘは−Ｏ−もしくは−ＮＨ−であり、そして
ＹはＣｌ；Ｂｒ；Ｉ；硫酸水素塩もしくはメト硫酸塩である）の化合物、および
０〜８０重量％のＮ−ビニルピロリドンおよび／または少なくとも１つの式（ＩＩ）：
【化７】
2005528538.tif 000007
（式中、
Ｒ7は水素もしくはメチルを表し、
Ｒ8は水素もしくはＣ1〜Ｃ4アルキルを表し、そして
Ｒ9およびＲ10は互いに独立して、水素もしくはＣ1〜Ｃ4アルキルを表す）の化合物、
ｂ）７００〜９００ppm（成分ａに基づく）の量で、ジビニルベンゼン；テトラアリルアンモニウムクロリド；アリルアクリレートおよびアリルメタクリレート；グリコールおよびポリグリコールのジアクリレートおよびジメタクリレート；ブタジエン；１，７−オクタジエン；アリル−アクリルアミドおよびアリル−メタクリルアミド；ビスアクリルアミド酢酸；Ｎ，Ｎ’−メチレン−ビスアクリルアミドならびにポリアリルサッカロースおよびペンタエリトリトールトリアリルエーテル等のポリオールポリアリルエーテルからなる群から選択される少なくとも１種の架橋剤、ならびに
ｃ）０〜５０，０００ppm（成分ａに基づく）、より好ましくは１００〜１０，０００ppm（成分ａに基づく）の、メルカプタン；リンゴ酸；乳酸；ギ酸；イソプロパノールおよび次亜リン酸塩からなる群から選択される少なくとも１種の連鎖移動剤、から形成される、請求項１３〜１９のいずれか一項記載のカチオン性ポリマー。